(57)【要約】【課題】牛乳パックなどの紙パックをリサイクル回収に出す際、容器を一定の形に切り開くのが慣例となっているが、通常のカッターやナイフ等を用いると、箱の角に沿ってまっすぐに切っていくのが難しく、また、紙がぶ厚くなっている部分を切る時には余計に力を込める必要があるので、手を切る危険性もある。そこで従来から色々な紙パック専用カッターが考案されてきたが、もうひとつ簡便かつ使用感に優れたものが無かった。【解決手段】紙パック切り開きカッターを、対象部材を切断するための刃１と、刃を支える刃挟持部２と、刃１を刃挟持部２に固定するための止めねじ３と、刃挟持部２の片端から刃挟持部２に対して鋭角的に延出された一対の角辺誘導部４と、さらに角辺誘導部４を含み連続して延出された持ち手部５、そして角辺誘導部４の終端が本体正面でＶ字状の切れ込みを形成してなる角辺捕捉部６とで構成した。【選択図】  図３
2004181175.tif 000002
【特許請求の範囲】
【請求項１】
対象部材を切断するための刃と、刃を支える刃挟持部と、刃を刃挟持部に固定する止めねじと、刃挟持部の片端から刃挟持部に対して鋭角的に延出された角辺誘導部と、さらに角辺誘導部と連続して形成された持ち手部とで構成されることを特徴とする紙パック切り開きカッター。
【請求項２】
前記角辺誘導部を、刃の略中央部において刃と一定の距離を置いて挟むように交差する向い合った一対の片で形成したことを特徴とする請求項１に記載の紙パック切り開きカッター。
【請求項３】
前記角辺誘導部の一対の片が該カッター正面の終端部で、略Ｖ字状の切れ込みを形成してなる角辺捕捉部を有することを特徴とする請求項１又は請求項２に記載の紙パック切り開きカッター。
【請求項４】
前記角辺誘導部を側面から見た形状を、略円弧状に形成したことを特徴とする請求項１又は請求項２又は請求項３に記載の紙パック切り開きカッター。
【請求項５】
前記刃挟持部に、刃を止めねじにより固定することを特徴とする請求項１又は請求項２又は請求項３又は請求項４に記載の紙パック切り開きカッター。
【請求項６】
前記刃挟持部の挟持力を強めることにより、刃を固定する止めねじを省略した形態を特徴とする請求項１又は請求項２又は請求項３又は請求項４に記載の紙パック切り開きカッター。
【請求項７】
請求項１に記載の紙パック切り開きカッターの本体を、ステンレスなどの金属薄板により形成した事を特徴とする紙パック切り開きカッター。
【請求項８】
請求項１に記載の紙パック切り開きカッターの本体を、プラスチックなどの可塑性部材により形成した事を特徴とする紙パック切り開きカッター。
【発明の詳細な説明】
【０００１】
【発明の属する技術分野】
本発明は、牛乳パックなどの紙容器をリサイクル回収に出す際の容器の切り開き作業を、迅速かつ快適にすることが出来る、紙パック切り開きカッターに関するものである。
【０００２】
【従来の技術】
牛乳パックなどの紙容器をリサイクルに出す際、回収効率上、一定の形状に切り開くのが慣例となっているが、この切り開き作業のために、従来から様々な専用器具が考案されており、中には商品化されているものもある。
【０００３】
【発明が解決しようとする課題】
しかし、従来の紙パック専用カッターは、紙容器の角の辺（以下、角辺と呼ぶ）に沿って切ることを目的として様々な補助機構を付加しているため、本体の仕組が複雑になったり、取り扱いに一定の習熟が必要となるという難点がある。また逆に、仕組を単純にすれば切り口が曲がってしまったり、紙パックの形状や変形に合わせてうまく切れないという問題点がある。
【０００４】
【課題を解決するための手段】
次に該課題を解決するための手段を説明する。即ち、請求項１に記載の如く、本発明の紙パック切り開きカッター（以下、該カッターと呼ぶ）を、対象部材を切断するための刃と、刃を支える刃挟持部と、刃を刃挟持部に固定する止めねじと、刃挟持部の片端から刃挟持部に対して鋭角的に延出された角辺誘導部と、さらに角辺誘導部と連続して形成された持ち手部とで構成した。
【０００５】
また、請求項２に記載の如く該カッターは、刃の略中央部において刃と一定の距離を置いて挟むように交差する向い合った一対の片で形成される、角辺誘導部を設けた。
【０００６】
また、請求項３に記載の如く、該カッターは刃挟持部の片端から延出した一対の角辺誘導部が該カッター正面の終端部で、略Ｖ字状の切れ込みを形成してなる角辺捕捉部を有する。
【０００７】
また、請求項４に記載の如く、角辺誘導部の形状を略円弧状に形成した。
【０００８】
また、請求項５に記載の如く、刃挟持部に刃を止めねじにより固定した。
【０００９】
また、請求項６に記載の如く、刃挟持部の挟持力を強めることにより、刃を固定する止めねじを省略した構造とした。
【００１０】
また、請求項７に記載の如く、該カッターの本体を、ステンレスなどの金属薄板により形成した。
【００１１】
また、請求項８に記載の如く、該カッターの本体を、プラスチックなどの可塑性部材により形成した。
【００１２】
【発明の実施の形態】
次に、本発明の実施の形態を説明する。図１は該カッターの側面図、図２は同じく正面図、図３は同じく斜視図、図４は該カッターで紙パックを切っているところの斜視図、図５は同じく側面図、図６は従来のカッターと該カッターの使用時における刃角の略図、図７は該カッターにおけるてこの応用動作を示す図、図８は該カッターにおいて止めねじを省略した実施例である。
【００１３】
次に、該カッターの動作形態について説明する。図４は該カッターで紙パックを切開しているところである。すなわち角辺７に沿って該カッターを引きおろす時、角辺捕捉部６を角辺７に押し付けながら引いていくと角辺誘導部４に挟まれた内側中心線上を角辺７が通過することになり、同線上に位置する刃１が正確に角辺７を捉えて切ることができるのである。
【００１４】
さらに従来のカッターに比べ、該カッターがより正確に角辺を切ることができる理由を説明する。すなわち、図５は該カッターが角辺７を切っている時の側面図であるが、角辺捕捉部６と角辺誘導部４によって方向付けられた軌道上を刃１が角辺７を切りながら移動していくとき、刃１とその進行方向の角辺７とがなす角度は、箱の内側から見て鋭角となっている。この状態で該カッターを引きおろしていけば、角辺誘導部４が箱の外側から角辺７の左右両脇部を押し、同時に刃１は箱の内側から外側に向けて角辺７を押すため、角辺７は内外双方からはさまれる形となり、より確実に刃１に捉えられ、切断されるのである。
【００１５】
さらに比較説明のため、図６に従来のカッターと該カッターの動作原理を略示する。すなわち図６の如く該カッターで切っている時の刃と角辺７のなす角度Ｙは、箱の内側から見て鋭角であるのに対し、従来のカッターの場合は箱の外側で鋭角Ｘをなしている。これは従来のカッターでは刃を引きおろしていく際、ちょっとした手元の狂いで刃が角辺７の左右両脇に外れ、箱の側面を切ってしまうことを示している。これに対し
【００１４】でも述べた様に、該カッターは刃が箱の内側から外側に向けて角辺７を切ろうとするため、より角辺７を外れにくいのである。
【００１６】
さらに、該カッターの特徴のひとつは「てこの原理」により、厚手の部材でも通常より少ない力で切れることである。すなわち、図７に示すように該カッターを角辺７に当て、角辺捕捉部６を支点、持ち手部５を力点とし、矢印方向に力を加えると、刃１が作用点となって角辺７に押しつけられ、容易にこれを切断する。この動作形態は、紙が分厚くなっている箇所を切る時や、切り始めのきっかけを作る時などに有効である。また、角辺誘導部４を略円弧状としていることも、この「てこ」の動作を滑らかにするために有効である。
【００１７】
また該カッターは刃１を止めねじで刃挟持部２に固定する形態の他に、刃挟持部２の挟持力を刃が抜け落ちない程度に強めることにより、図８の如く、止めねじ３を省略した構造とすることも出来る。
【００１８】
また該カッターは製造にあたり、例えばステンレス等の一枚の金属薄板から加工形成することが可能であり、より均質のものを低コストで量産できる。
また、該カッターはプラスチックなどの可塑性部材により形成してもよい。
【００１９】
【発明の効果】
本発明の効果は以下の通りである。即ち、従来のカッターに比べて該カッターは牛乳などの紙パックを容器の角の辺に沿って簡単に、きれいに切断することができる。
【００２０】
また該カッターの操作は押し切る力ではなく、引き切る力を主体としている上、紙厚に応じて「てこの原理」を使って力加減を調整できるため、より楽に紙パックの切り開き作業を行うことができる。
【００２１】
また該カッターは構造が簡単なことから、低コストで量産可能であり、広く世の中のリサイクル活動に供することができる。
【００２２】
また該カッターの形態は、例えばボール紙製の箱やダンボール箱など、紙パック以外の一般的な紙容器の解体にも応用が可能である。
【００２３】
また別の観点から言えば、たとえリサイクルと言えども、きちんと、きれいに切れることの心地良さが人間の心理にプラスに作用し、現在ペットボトルや空き缶にくらべ、切り開き作業の煩わしさ故、もうひとつ回収率の伸びない紙パックの回収率向上に寄与し得るものと考える。
【図面の簡単な説明】
【図１】該カッターの側面図である。
【図２】同じく正面図である。
【図３】同じく斜視図である。
【図４】該カッターで紙パックを切っているところの斜視図である。
【図５】同じく側面図である。
【図６】従来のカッターと該カッターの使用時の刃角の略図である。
【図７】該カッターによるてこの応用動作を示す図である。
【図８】該カッターの止めねじを省略した実施例を示す斜視図である。
【符号の説明】
１  刃
２  刃挟持部
３  止めねじ
４  角辺誘導部
５  持ち手部
６  角辺捕捉部
７  角辺
【図１】
2004181175.tif 000003
【図２】
2004181175.tif 000004
【図３】
2004181175.tif 000005
【図４】
2004181175.tif 000006
【図５】
2004181175.tif 000007
【図６】
2004181175.tif 000008
【図７】
2004181175.tif 000009
【図８】
2004181175.tif 000010